【手続補正書】
【提出日】平成17年11月2日(2005.11.2)
【手続補正１】
【補正対象書類名】明細書
【補正対象項目名】発明の名称
【補正方法】変更
【補正の内容】
【発明の名称】ネットワークデバイス管理装置、ネットワークデバイス管理装置の制御方法、プログラム
【手続補正２】
【補正対象書類名】明細書
【補正対象項目名】特許請求の範囲
【補正方法】変更
【補正の内容】
【特許請求の範囲】
【請求項１】  ネットワークデバイス及びデータ処理装置と通信可能なネットワークデバイス管理装置であって、
前記データ処理装置から、ネットワークデバイスの探索要求および識別情報を受信する受信手段と、
ネットワークデバイスの一覧を作成する一覧作成手段と、
前記受信手段により受信した識別情報と、前記一覧作成手段により作成された一覧とを関連付けて保持する保持手段と、
探索要求と識別情報とが前記受信手段により受信された場合、当該識別情報と関連付けられて前記保持手段により保持されている一覧と、当該探索要求が前記受信手段により受信された後に前記一覧作成手段により作成された一覧とを比較し、新たに見つかったネットワークデバイスを抽出する抽出手段と、
前記抽出手段によって抽出されたネットワークデバイスを強調した、ネットワークデバイスの一覧を表示するためのデータを作成するデータ作成手段と、
前記データ作成手段にて作成したデータをデータ処理装置に送信するデータ送信手段と、を備えることを特徴とするネットワークデバイス管理装置。
【請求項２】  ネットワークデバイス及びデータ処理装置と通信可能なネットワークデバイス管理装置であって、
前記データ処理装置から、ネットワークデバイスの状態要求および識別情報を受信する受信手段と、
ネットワークデバイスそれぞれの状態を調査して、ネットワークデバイスそれぞれの状態を示す一覧を作成する一覧作成手段と、
前記受信手段により受信した識別情報と、前記一覧作成手段により作成された一覧とを関連付けて保持する保持手段と、
状態要求と識別情報とが前記受信手段により受信された場合、当該識別情報と関連付けられて前記保持手段により保持されている一覧と、当該状態要求が前記受信手段により受信された後に前記一覧作成手段により作成された一覧とを比較し、状態が変化したネットワークデバイスを抽出する抽出手段と、
前記抽出手段によって抽出されたネットワークデバイスを強調した、ネットワークデバイスそれぞれの状態を示す一覧を表示するためのデータを作成するデータ作成手段と、
前記データ作成手段にて作成したデータをデータ処理装置に送信するデータ送信手段と、を備えることを特徴とするネットワークデバイス管理装置。
【請求項３】  前記一覧は、印刷可能かどうかに関する情報及びエラー状態のうちの少なくとも１つを示すことを特徴とする請求項２記載のネットワークデバイス管理装置。
【請求項４】  前記データ作成手段が作成したデータは、強調のための強調マークが含まれることを特徴とする請求項１乃至３のいずれかに記載のネットワークデバイス管理装置。
【請求項５】  前記データ作成手段が作成したデータは、データ処理装置のデバイスアイコンが更新された状態で表示させるための指示データが含まれることを特徴とする請求項１乃至４のいずれかに記載のネットワークデバイス管理装置。
【請求項６】  ネットワークデバイス管理装置の制御方法であって、
データ処理装置から、要求および識別情報を受信する第１の受信ステップと、
前記第１の受信ステップで受信された要求に従って、ネットワークデバイスの一覧を作成する第１の一覧作成ステップと、
前記第１の受信ステップで受信された識別情報と、前記第１の一覧作成ステップで作成された一覧とを関連付けて保持する保持ステップと、
データ処理装置からの要求および識別情報を受信する第２の受信ステップと、
前記第２の受信ステップで受信された要求に従って、ネットワークデバイスの一覧を作成する第２の一覧作成ステップと、
新たに見つかったネットワークデバイスを抽出するために、前記第２の受信ステップで受信された識別情報と同じ識別情報と関連付けられて保持された一覧と、前記第２の一覧作成ステップで作成された一覧とを比較する比較ステップと、
新たに見つかったネットワークデバイスを強調した、ネットワークデバイスの一覧を表示するためのデータを作成するデータ作成ステップと、
前記データ作成ステップで作成されたデータをデータ処理装置に送信するデータ送信ステップと、を有することを特徴とする制御方法。
【請求項７】  前記データ作成手段が作成したデータは、強調のための強調マークが含まれることを特徴とする請求項６に記載の制御方法。
【請求項８】  前記データ作成ステップで作成されたデータは、データ処理装置のデバイスアイコンが更新された状態で表示させるための指示データが含まれることを特徴とする請求項６或いは７に記載の制御方法。
【請求項９】  ネットワークデバイス管理装置の制御方法であって、
データ処理装置からの要求および識別情報を受信する第１の受信ステップと、
前記第１の受信ステップで受信された要求に従って、ネットワークデバイスそれぞれの状態を示す一覧を作成する第１の一覧作成ステップと、
前記受信ステップで受信された識別情報と、前記第１の一覧作成ステップで作成された一覧とを関連付けて保持する保持ステップと、
データ処理装置からの要求および識別情報を受信する第２の受信ステップと、
前記第２の受信ステップで受信された要求に従って、ネットワークデバイスそれぞれの状態を示す一覧を作成する第２の一覧作成ステップと、
状態が変化したネットワークデバイスを抽出するために、前記第２の受信ステップで受信された識別情報と同じ識別情報と関連付けられて保持された一覧と、前記第２の一覧作成ステップで作成された一覧とを比較する比較ステップと、
状態が変化したネットワークデバイスを強調した、ネットワークデバイスそれぞれの状態を示す一覧を表示するためのデータを作成するデータ作成ステップと、
前記データ作成ステップで作成されたデータをデータ処理装置に送信するデータ送信ステップと、を有することを特徴とする制御方法。
【請求項１０】  一覧は、印刷可能かどうかに関する情報及びエラー状態のうちの少なくとも１つを示すことを特徴とする請求項９記載の制御方法。
【請求項１１】  前記データ作成ステップで作成されたデータは、強調のための強調マークが含まれることを特徴とする請求項９或いは１０に記載の制御方法。
【請求項１２】  コンピュータを制御するためのプログラムであって、
データ処理装置からの要求および識別情報を受信する第１の受信ステップと、
前記第１の受信ステップで受信された要求に従って、ネットワークデバイスの一覧を作成する第１の一覧作成ステップと、
前記第１の受信ステップで受信された識別情報と、前記第１の一覧作成ステップで作成された一覧とを関連付けて保持する保持ステップと、
データ処理装置からの要求および識別情報を受信する第２の受信ステップと、
前記第２の受信ステップで受信された要求に従って、ネットワークデバイスの一覧を作成する第２の一覧作成ステップと、
新たに見つかったネットワークデバイスを抽出するために、前記第２の受信ステップで受信された識別情報と同じ識別情報と関連付けられて保持された一覧と、前記第２の一覧作成ステップで作成された一覧とを比較する比較ステップと、
新たに見つかったネットワークデバイスを強調した、ネットワークデバイスの一覧を表示するためのデータを作成するデータ作成ステップと、
前記データ作成ステップで作成されたデータをデータ処理装置に送信するデータ送信ステップと、を実行するよう前記コンピュータを制御することを特徴とするプログラム。
【請求項１３】  コンピュータを制御するためのプログラムであって、
データ処理装置からの要求および識別情報を受信する第１の受信ステップと、
前記第１の受信ステップで受信された要求に従って、ネットワークデバイスそれぞれの状態を示す一覧を作成する第１の一覧作成ステップと、
前記受信ステップで受信された識別情報と、前記第１の一覧作成ステップで作成された一覧とを関連付けて保持する保持ステップと、
データ処理装置からの要求および識別情報を受信する第２の受信ステップと、
前記第２の受信ステップで受信された要求に従って、ネットワークデバイスそれぞれの状態を示す一覧を作成する第２の一覧作成ステップと、
状態が変化したネットワークデバイスを抽出するために、前記第２の受信ステップで受信された識別情報と同じ識別情報と関連付けられて保持された一覧と、前記第２の一覧作成ステップで作成された一覧とを比較する比較ステップと、
状態が変化したネットワークデバイスを強調した、ネットワークデバイスそれぞれの状態を示す一覧を表示するためのデータを作成するデータ作成ステップと、
前記データ作成ステップで作成されたデータをデータ処理装置に送信するデータ送信ステップと、を実行するよう前記コンピュータを制御することを特徴とするプログラム。
【手続補正３】
【補正対象書類名】明細書
【補正対象項目名】０００１
【補正方法】変更
【補正の内容】
【０００１】
【発明の属する技術分野】
本発明は、ネットワークデバイス及びデータ処理装置と通信可能なネットワークデバイス管理装置の制御に関するものである。
【手続補正４】
【補正対象書類名】明細書
【補正対象項目名】００１３
【補正方法】変更
【補正の内容】
【００１３】
本発明は、上記の問題点を解決するためになされたもので、本発明の目的は、各クライアントＰＣからネットワークデバイスの探索要求時に、各クライアントＰＣ毎に個別のネットワークデバイス一覧を表示するデータを転送できる仕組みを提供することである。
また、他の目的は、各クライアントＰＣからネットワークデバイスの状態要求時に、各クライアントＰＣ毎に、状態変化しているネットワークデバイス一覧を表示するデータを転送できる仕組みを提供することである。
【手続補正５】
【補正対象書類名】明細書
【補正対象項目名】００１５
【補正方法】変更
【補正の内容】
【００１５】
【課題を解決するための手段】
上記目的を達成する本発明のネットワークデバイス管理装置は、以下に示す構成を備える。
ネットワークデバイス及びデータ処理装置と通信可能なネットワークデバイス管理装置であって、前記データ処理装置から、ネットワークデバイスの探索要求および識別情報を受信する受信手段と、ネットワークデバイスの一覧を作成する一覧作成手段と、前記受信手段により受信した識別情報と、前記一覧作成手段により作成された一覧とを関連付けて保持する保持手段と、探索要求と識別情報とが前記受信手段により受信された場合、当該識別情報と関連付けられて前記保持手段により保持されている一覧と、当該探索要求が前記受信手段により受信された後に前記一覧作成手段により作成された一覧とを比較し、新たに見つかったネットワークデバイスを抽出する抽出手段と、前記抽出手段によって抽出されたネットワークデバイスを強調した、ネットワークデバイスの一覧を表示するためのデータを作成するデータ作成手段と、前記データ作成手段にて作成したデータをデータ処理装置に送信するデータ送信手段と、を備えることを特徴とする。
また、ネットワークデバイス及びデータ処理装置と通信可能なネットワークデバイス管理装置であって、前記データ処理装置から、ネットワークデバイスの状態要求および識別情報を受信する受信手段と、ネットワークデバイスそれぞれの状態を調査して、ネットワークデバイスそれぞれの状態を示す一覧を作成する一覧作成手段と、前記受信手段により受信した識別情報と、前記一覧作成手段により作成された一覧とを関連付けて保持する保持手段と、状態要求と識別情報とが前記受信手段により受信された場合、当該識別情報と関連付けられて前記保持手段により保持されている一覧と、当該状態要求が前記受信手段により受信された後に前記一覧作成手段により作成された一覧とを比較し、状態が変化したネットワークデバイスを抽出する抽出手段と、前記抽出手段によって抽出されたネットワークデバイスを強調した、ネットワークデバイスそれぞれの状態を示す一覧を表示するためのデータを作成するデータ作成手段と、前記データ作成手段にて作成したデータをデータ処理装置に送信するデータ送信手段と、を備えることを特徴とする。
【手続補正６】
【補正対象書類名】明細書
【補正対象項目名】００１６
【補正方法】変更
【補正の内容】
【００１６】
上記目的を達成する本発明のネットワークデバイス管理装置の制御方法は、以下に示す構成を備える。
ネットワークデバイス管理装置の制御方法であって、データ処理装置から、要求および識別情報を受信する第１の受信ステップと、前記第１の受信ステップで受信された要求に従って、ネットワークデバイスの一覧を作成する第１の一覧作成ステップと、前記第１の受信ステップで受信された識別情報と、前記第１の一覧作成ステップで作成された一覧とを関連付けて保持する保持ステップと、データ処理装置からの要求および識別情報を受信する第２の受信ステップと、前記第２の受信ステップで受信された要求に従って、ネットワークデバイスの一覧を作成する第２の一覧作成ステップと、新たに見つかったネットワークデバイスを抽出するために、前記第２の受信ステップで受信された識別情報と同じ識別情報と関連付けられて保持された一覧と、前記第２の一覧作成ステップで作成された一覧とを比較する比較ステップと、新たに見つかったネットワークデバイスを強調した、ネットワークデバイスの一覧を表示するためのデータを作成するデータ作成ステップと、前記データ作成ステップで作成されたデータをデータ処理装置に送信するデータ送信ステップと、を有することを特徴とする。
また、ネットワークデバイス管理装置の制御方法であって、データ処理装置からの要求および識別情報を受信する第１の受信ステップと、前記第１の受信ステップで受信された要求に従って、ネットワークデバイスそれぞれの状態を示す一覧を作成する第１の一覧作成ステップと、前記受信ステップで受信された識別情報と、前記第１の一覧作成ステップで作成された一覧とを関連付けて保持する保持ステップと、データ処理装置からの要求および識別情報を受信する第２の受信ステップと、前記第２の受信ステップで受信された要求に従って、ネットワークデバイスそれぞれの状態を示す一覧を作成する第２の一覧作成ステップと、状態が変化したネットワークデバイスを抽出するために、前記第２の受信ステップで受信された識別情報と同じ識別情報と関連付けられて保持された一覧と、前記第２の一覧作成ステップで作成された一覧とを比較する比較ステップと、状態が変化したネットワークデバイスを強調した、ネットワークデバイスそれぞれの状態を示す一覧を表示するためのデータを作成するデータ作成ステップと、前記データ作成ステップで作成されたデータをデータ処理装置に送信するデータ送信ステップと、を有することを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】０１２６
【補正方法】変更
【補正の内容】
【０１２６】
【発明の効果】
以上説明したように、本発明によれば、各クライアントＰＣからネットワークデバイスの探索要求時に、各クライアントＰＣ毎に個別のネットワークデバイス一覧を表示するデータを転送できる。
また、各クライアントＰＣからネットワークデバイスの状態要求時に、各クライアントＰＣ毎に、状態変化しているネットワークデバイス一覧を表示するデータを転送できるという効果を奏する。